(57)【要約】      （修正有）【課題】使用者の身体の顎などの曲がった部分の皮膚の２箇所を同時にマッサージすることができ、マッサージ作用と共に、マイナスイオンによる健康増進作用を期待することができるローラ型マッサージ器具を提供する。【解決手段】細長い主軸部１１と、主軸部１１の一端から二股状に分かれた一対の分岐軸部１２，１３とを有し、それらの主軸部１１及び一対の分岐軸部１２，１３にローラ２１，２２を回転自在に取り付ける。一対の分岐軸部１２，１３の開き角度を１２０〜１４５度とする。ローラ２１，２２が、ホルミシスイオンを放射する希土類元素を練り込んで成形された柔軟性を有するシリコン樹脂でなる。【選択図】図１
0003161744.tif 000002
【実用新案登録請求の範囲】
【請求項１】
皮膚の上で転動されるローラと、このローラが回転自在に取り付けられた杆体と、を備えたローラ型マッサージ器具であって、
上記杆体が、細長い主軸部と、この主軸部の一端を始点として２方向に延び出た一対の分岐軸部とを有し、この一対の分岐軸部に、上記ローラが装備されていることを特徴とするローラ型マッサージ器具。
【請求項２】
皮膚の上で転動されるローラと、このローラが回転自在に取り付けられた杆体と、を備えたローラ型マッサージ器具であって、
上記杆体が、細長い主軸部と、この主軸部の一端を始点として２方向に延び出た一対の分岐軸部とを有し、それらの主軸部及び一対の分岐軸部とのそれぞれに、上記ローラが各別に装備されていることを特徴とするローラ型マッサージ器具。
【請求項３】
一対の上記分岐軸部の開き角度が１２０〜１４５度に定められている請求項１又は請求項２に記載したローラ型マッサージ器具。
【請求項４】
上記主軸部は、その一端近傍箇所が、上記分岐軸部に近付くほど漸次径小になる括れ部として形成されている請求項１ないし請求項３のいずれか１項に記載したローラ型マッサージ器具。
【請求項５】
上記ローラが、ホルミシスイオンを放射する希土類元素を練り込んで成形された柔軟性を有するシリコン樹脂でなる請求項１ないし請求項４のいずれか１項に記載したローラ型マッサージ器具。
【考案の詳細な説明】
【技術分野】
【０００１】
本考案は、ローラ型マッサージ器具、特に、ローラを皮膚の上で転動させることによるマッサージ作用やマイナスイオンによる健康増進作用を期待することのできるローラ型マッサージ器具に関する。
【背景技術】
【０００２】
使用者自身がローラを皮膚の上で転動させて皮膚を刺激したりマッサージしたりするタイプのローラ型マッサージ器具は従来より周知である。この種のローラ型マッサージ器具の分野では、まっすぐなロッド状の杆体の一端に１個のローラを回転自在に取り付けたものが従来より知られている。
【０００３】
また、先行例として、ローラに設けた電極に電圧を印加することによって身体に微弱電流を流したりするもの（たとえば、特許文献１参照）、ローラの外周複数箇所に叩打板を取り付けておいて、皮膚の上でローラを転動させるとそれらの叩打板が皮膚を叩いて刺激を増幅させるもの（たとえば、特許文献２参照）、ローラに収納させた蓄熱体の熱をそのローラの表面に設けた突起に伝えることによって皮膚に熱的刺激を与えるもの（たとえば、特許文献３参照）などが知られている。
【先行技術文献】
【特許文献】
【０００４】
【特許文献１】特開２００９−２４７６８４号公報
【特許文献２】特開２００８−２７８９１９号公報
【特許文献３】特開２０１０−３５７４３号公報
【考案の概要】
【考案が解決しようとする課題】
【０００５】
しかしながら、まっすぐなロッド状の杆体の一端に１個のローラを回転自在に取り付けただけの従来のローラ型マッサージ器具は、一般的に、１個のローラを顔面の頬や腕、脚、背中などの１箇所で転動させるという使用方法が採られるに過ぎないので、ローラを転動させることによってマッサージされる範囲が狭く、使用者にとって充実感のあるマッサージを行うことに関して難点があった。
【０００６】
また、上掲の各特許文献１〜３によって提案されているものは、皮膚を電気的に刺激したり、皮膚を叩打して刺激したり、皮膚を局部的に熱して刺激したりするものであり、使用者によっては、使用に違和感を感じて良好な使用感を得られないことがある。
【０００７】
そこで、本考案は、一度に２個のローラを皮膚の異なる２箇所で転動させることができ、しかも、使用者の身体の顎や腕のように凸状の曲がった部分の皮膚の２箇所を同時にマッサージすることができるような工夫を講じることによって、使用者にとって楽に充実感のあるマッサージを行うことが可能なローラ型マッサージ器具を提供することを目的とする。
【０００８】
また、本考案は、ローラが皮膚の上で転動することによるマッサージ作用と共に、マイナスイオンによる健康増進作用を期待することのできるローラ型マッサージ器具を提供することを目的とする。
【課題を解決するための手段】
【０００９】
本考案に係るローラ型マッサージ器具は、皮膚の上で転動されるローラと、このローラが回転自在に取り付けられた杆体と、を備えている。そして、上記杆体が、細長い主軸部と、この主軸部の一端を始点として２方向に延び出た一対の分岐軸部とを有し、この一対の分岐軸部に、上記ローラが装備されている。
【００１０】
この構成であると、杆体に具備された主軸部を把手として利用することが可能であり、しかも、一対の分岐軸部に回転自在に取り付けられた２個のローラを同時に皮膚の上で転動させることが可能になる。そのため、使用者は、たとえば顎部分の前側（口許に近い箇所）と下側（首に近い箇所）との２箇所を同時にマッサージすることができる。顔の頬部分や腕部、脚部をマッサージするときにも同様の作用が得られる。
【００１１】
また、本考案に係るローラ型マッサージ器具は、皮膚の上で転動されるローラと、このローラが回転自在に取り付けられた杆体と、を備えている。そして、上記杆体が、細長い主軸部と、この主軸部の一端を始点として２方向に延び出た一対の分岐軸部とを有し、それらの主軸部及び一対の分岐軸部とのそれぞれに、上記ローラが各別に装備されている。
【００１２】
このような構成であると、杆体に具備された主軸部を把手として利用することが可能であり、しかも、一対の分岐軸部に回転自在に取り付けられた２個のローラを同時に皮膚の上で転動させることが可能になる。そのため、使用者は、たとえば顎部分の前側（口許に近い箇所）と下側（首に近い箇所）との２箇所を同時にマッサージすることができる。顔の頬部分や腕部、脚部をマッサージするときにも同様の作用が得られる。また、必要に応じて、主軸部に回転自在に取り付けられたローラをマッサージに使用することも可能であるという利便性がある。
【００１３】
本考案では、一対の上記分岐軸部の開き角度が１２０〜１４５度に定められていることが望ましい。経験上、一対の分岐軸部の開き角度が１２０〜１４５度に定められていると、それらの分岐軸部に回転自在に取り付けられている２個のローラで顎部分の前側と下側との２箇所や、腕部、脚部、その他の身体の各部を心地よくマッサージすることが可能になることが判っている。上記開き角度が１２０度よりも小さいと、たとえば顎部分の前側と下側との２箇所、腕部や脚部の２箇所などをマッサージするときに、２個のローラの全体が顎部分や腕部や脚部に当たらなくなって、満足のいく使用感を得られなくなるおそれがある。上記開き角度が１４５度よりも大きいときにも同様の状況が起こり得る。
【００１４】
本考案において、上記主軸部は、その一端近傍箇所が、上記分岐軸部に近付くほど漸次径小になる括れ部として形成されていることが望ましい。この構成であると、括れ部として形成されている主軸部の一端近傍箇所を、その主軸部をつかんでいる手の親指や人指し指で軽く押さえることが容易になり、そうすることによってマッサージを身体の各部に的確に行うことができるようになる。
【００１５】
本考案では、上記ローラが、ホルミシスイオンを放射する希土類元素を練り込んで成形された柔軟性を有するシリコン樹脂でなることが望ましい。ホルミシスイオンを発生する希土類元素は、人の身体に悪影響を及ぼさない程度の低レベルの放射線物質である。また、ホルミシスイオンは、特定の温泉地の温泉にも含まれていると云われていて、特定の入浴剤にも含有されている。そして、このホルミシスイオンは、人体の細胞に作用することにより、内臓脂肪症候群（メタボリックシンドローム）、癌、腎臓病、肝臓病、肝硬変、心臓病、膵臓病、心筋梗塞、脳梗塞、皮膚炎、リュウマチ、糖尿病、睡眠障害、低体温症、パーキンソン病といった多種多様な人の疾患の症状を改善することに役立つとされている。また、このホルミシスイオンの放射作用は永久に持続するとされている。したがって、この考案のように、ローラが、ホルミシスイオンを放射する希土類元素を練り込んで成形された柔軟性を有するシリコン樹脂でなる、という構成を採用することにより、ローラが皮膚で転動することによるマッサージ作用と共に、ホルミシスイオンの永久的な放射作用による健康増進作用が図られる。
【考案の効果】
【００１６】
以上のように、本考案によるローラ型マッサージ器具によれば、使用者にとっては、皮膚の２箇所を同時にマッサージすることができるようになって充実感のあるマッサージを行うことが可能になる。しかも、ローラが、ホルミシスイオンを放射する希土類元素を練り込んで成形された柔軟性を有するシリコン樹脂でなる、という構成を採用することにより、マッサージ作用と共に、ホルミシスイオンの永久的な放射作用による健康増進作用が図られる。
【図面の簡単な説明】
【００１７】
【図１】本考案の実施形態に係るローラ型マッサージ器具の概略斜視図である。
【図２】他の実施形態に係るローラ型マッサージ器具の概略平面図である。
【図３】ローラの取付構造を例示した断面図である。
【考案を実施するための形態】
【００１８】
図１は本考案の実施形態に係るローラ型マッサージ器具の概略斜視図である。図２は他の実施形態に係るローラ型マッサージ器具の概略平面図である。
【００１９】
図１のローラ型マッサージ器具Ａは、３方向に分岐した形状の杆体１０に、２個の平滑な外周面を有するローラ２１，２２を回転自在に取り付けてなる。さらに具体的に説明すると、杆体１０は、細長い主軸部１１と、この主軸部１１の一端を始点として２方向に延び出た一対の短い分岐軸部１２，１３とを有している。一対の分岐軸部１２，１３のそれぞれは、まっすぐな主軸部１１の軸線に対して同一角度だけ傾斜している。そして、一対の分岐軸部１２，１３に個別にそれと略同一長さのローラ２１，２２が回転自在に取り付けられている。さらに、主軸部１１は、その一端近傍箇所が、分岐軸部１２，１３に近付くほど漸次径小になる括れ部１１ａとして形成されている。この括れ部１１ａは、主軸部１１をローラ２３ごとつかんでいる手の親指や人指し指で軽く押さえてマッサージを身体の各部に的確に行うことができるようにすることに役立つ。
【００２０】
このマッサージ器具Ａにおいて、一対の分岐軸部１２，１３の開き角度θ（図２参照）は１２０〜１４５度に定められている。この開き角度θは、使用者の顔や腕部、脚部、肩部といった身体の各部の皮膚表面の曲り形状などを勘案して経験上から定められている。そして、この開き角度θが、１２０〜１４５度に定められていると、それらの分岐軸部１２，１３に回転自在に取り付けられている２個のローラ２１，２２を、顎部分の前側と下側との２箇所や、腕部、脚部、その他の身体の各部に跨がらせた形態で心地よくマッサージすることが可能になる。その一方で、開き角度θが１２０度よりも小さいと、たとえば顎部分の前側と下側との２箇所、腕部や脚部の２箇所などをマッサージするときに、２個のローラ２１，２２の全体が顎部分や腕部や脚部にうまく当たらなくなって、満足のいく使用感を得られなくなることがある。開き角度が１４５度よりも大きいときにも同様の状況が起こり得る。
【００２１】
図１に示したマッサージ器具Ａでは、主軸部１１を把手（ハンドル）として手で掴んで、一対のローラ２１，２２を身体の各部の皮膚に当てて転動させることができる。このときには、主軸部１１をつかんだ手の親指や人指し指で括れ部１１ａを軽く押さえておくと、ローラ２１，２２がぐらつくことなく身体の各部を転動するようになる。
そして、一対の分岐軸部１２，１３に取り付けられた２個のローラ２１，２２を同時に皮膚の上で転動させる場合、それらのローラ２１，２２を使用者の顎部分の前側と下側との２箇所の皮膚を同時にマッサージすることが可能である。また、顔の頬部分や腕部、脚部をマッサージするときにも２箇所を同時にマッサージすることが可能である。
【００２２】
この実施形態のマッサージ器具Ａでは、２つの上記各ローラ２１，２２が、ホルミシスイオンを放射する希土類元素を練り込んで成形された柔軟性を有するシリコン樹脂で形成されている。ホルミシスイオンは、人体の細胞に作用することにより、内臓脂肪症候群、癌、腎臓病、肝臓病、肝硬変といった様々な人の疾患の症状を改善することに役立ち、しかも希土類元素によるその放射作用は永久に持続するとされている。したがって、この実施形態のマッサージ器具Ａによると、ローラ２１，２２が皮膚で転動することによるマッサージ作用と共に、ホルミシスイオンの永久的な放射作用による健康増進作用が図られるという卓越した効果を期待することができる。
【００２３】
図２に示した他の実施形態に係るマッサージ器具Ａでは、細長い主軸部１１の一端部を始点として二股状に分岐して形成された一対の分岐軸部１２，１３と、上記主軸部１１の他端部とに、同一又は略同一長さの短いローラ２１，２２，２３を回転自在に取り付けてある。その他の事項は、図１を参照して説明したところと同様である。なお、図２には、一対の分岐軸部１２，１３の開き角度を符号θで示してある。
【００２４】
図２に示したマッサージ器具Ａでは、一対の分岐軸部１２，１３に取り付けられているローラ２１，２２を手で掴んだり、あるいは、杆体１０の分岐箇所ないし主軸部１１の括れ部１１ａを手で掴んだりした状態で、主軸部１１に取り付けられているローラ２３を身体の各部の皮膚に当てて転動させることができる。このマッサージ器具では、図１に示したマッサージ器具Ａと同様の作用が奏される。特に、このマッサージ器具Ａでは、主軸部１１の他端部だけにローラ２３が取り付けられていて、ローラ２３の取付箇所を除く残部を把手（ハンドル）として利用することができる。
【００２５】
図３はローラの取付構造を例示した断面図である。同図は、分岐軸部１２に対するローラ２１の取付構造を示しているけれども、他の分岐軸部１３や主軸部１１に対するローラ２１の取付構造にも同様の構成が採用されている。同図の事例では、分岐軸部１２の端部に備わっている径小な支軸部１４にローラ２１が嵌め込まれていると共に、その支軸部１４の軸線方向の２箇所で、ベアリング３１，３２を介し、ローラ２１が軸線方向にがたつかない状態で回転自在に支持されている。また、支軸部１４の先端には加締め加工により形成された鍔部１５が備わり、この鍔部１５によってローラ２１が抜け止めされている。なお、ローラの取付構造は図例に限定されない。たとえば、ベアリングを省略して、主軸部や分岐軸部に摺動回転自在にローラを取り付けておいてもよい。
【００２６】
なお、図３に示したように、分岐軸部１２に取り付けられるローラ２１の軸長はたとえば３５ｍｍに定められ、外周直径はたとえば１８ｍｍに定めることができる。ローラ２１の軸長や外周直径がこの程度の寸法に定められていると、使用者にとって取り扱いが容易であり、しかも、顔や手足をマッサージするときの使い勝手もよいことが判っている。
【符号の説明】
【００２７】
Ａ  ローラ型マッサージ器具
１０  杆体
１１  主軸部
１２，１３  分岐軸部
１１ａ  括れ部
２１，２２，２３  ローラ
θ  一対の分岐軸部の開き角度
【図１】
0003161744.tif 000003
【図２】
0003161744.tif 000004
【図３】
0003161744.tif 000005